(57)【特許請求の範囲】
【請求項１】
各種情報源からのデータをインターネット通信網を通して収集するＷＥＢサーバと、このＷＥＢサーバにアクセス可能な農家のインターネット端末とからなり、
前記ＷＥＢサーバには、
収集された前記データを閲覧可能なＷＥＢページ閲覧手段と、
前記農家のインターネット端末から入力された利用者情報および当該利用者の属性を登録するとともに、認証通知を返信する手段と、
前記各種情報源からの病害虫発生や天候・災害に関する事象が生じた旨の通報指示、および前記農家のインターネット端末からの病害虫発生情報を受け付ける受付手段と、
この受付手段により受け付けられた通報指示および病害虫発生情報に関するデータを種別毎に振り分け、緊急を要するデータ、および前記利用者が設定した属性に基づき通知を希望するデータについて、該当するインターネット端末へインターネット通信網を介して送信するメール送信手段と
を備え、
前記利用者の属性は、普通作物農家、野菜作物農家、果樹作物農家、花卉農家、畜産農家に分類されており、
前記受付手段は、通報すべき事象が生じた事項が関係する地域の指定を受け付け、かつ前記メール送信手段は、前記所定のインターネット端末のうちで前記指定された地域に位置するインターネット端末のみに対してメールを送信する機能を備えている
ことを特徴とする農業情報配信システム。
【請求項２】
前記農家のインターネット端末は、インターネットメール送受信機能をもつ携帯電話または携帯端末である請求項１記載の農業情報配信システム。
【請求項３】
前記メール送信手段が送信する情報には、病害虫発生や天候・災害に関する通報事象のほか、農家を中心とした所轄農業協同組合からの農業政策、農業技術、農業機器の有効活用、高齢者福祉情報、健康情報、金融情報、ビジネス情報、セミナー集会情報、旅行やイベント等のレクリエーション情報、行政からの情報、関連団体・企業からの情報、環境ＮＰＯ情報等、有益な情報が含まれることを特徴とする請求項１または２に記載の農業情報配信システム。
【請求項４】
前記メール送信手段は、前記所定のインターネット端末のうちで予め通知を要求しているインターネット端末のみへメールを送信する機能を備えていることを特徴とする請求項１から３のいずれかの項に記載の農業情報配信システム。
【請求項５】
前記メール送信手段は、病害虫の発生に伴い、風向き、雨などの気象予測情報と予め登録されている病害虫の行動特性を条件照合し、当該地区、隣接地区に何時間後に飛来するのかを予測し、危機管理メールおよびそれに対する対処方法も併せて配信する機能を備えていることを特徴とする請求項１から４のいずれかの項に記載の農業情報配信システム。
【請求項６】
前記ＷＥＢサーバには、農薬を散布する場合に、気象予測情報を元に他への飛散状況や天候、気温、湿度など条件照合し農薬の効果を予測する手段を備えていることを特徴とする請求項１から５のいずれかの項に記載の農業情報配信システム。
【請求項７】
前記ＷＥＢサーバには、気温、湿度、天候等の気象予測情報を元にビニールハウスの扉を開けるか、閉めるかのアクションを予測する手段を備えていることを特徴とする請求項１から６のいずれかの項に記載の農業情報配信システム。
【請求項８】
前記ＷＥＢサーバには、過去の市況情報を蓄積し、前年同日比など過去のデータをその時点の気象情報と併せて分析し市況の予測を行う機能を備えていることを特徴とする請求項１から７のいずれかの項に記載の農業情報配信システム。
【発明の詳細な説明】
【０００１】
【発明の属する技術分野】
本発明は、ＪＡ（農業協同組合）に集められた膨大な情報や緊急危機的情報を各農家の属性により、必要な情報を、必要とされる農家の携帯端末へ情報提供する情報配信システムに関する。
【０００２】
【従来の技術】
農家にとって必要ないし有用な情報としては、病害虫発生情報や天候、災害といった直接的な情報から、農作物の市場価格等の日々の市況情報、農業に関する新技術や農機具に関する周辺情報、さらには、部会や旅行、催し物等のイベント情報等がある。これらのうち緊急なものは所轄ＪＡからの有線放送や緊急連絡網を利用して伝達し、あるいは広報カーで農道を巡回して、農地で作業をしている人に周知徹底を図るようにしていた。特別に緊急を要する場合は、サイレンを用いることもある。
【０００３】
周辺情報やイベント情報については、緊急を要しないため、新聞や定期刊行物等で紹介されていることが多い。
近年では、農家のパソコンを用いて、ＪＡのホームページから各種情報を閲覧、入手できるようになってきている。
【０００４】
【発明が解決しようとする課題】
しかし、このような従来の情報の提供の仕方では、次のような問題があった。
（１）病害虫発生情報や天候、災害に関する緊急な情報を有線放送で流しても、農家の人に確実に伝達することは困難であり、音だけで聞くために情報が残らず、忘れてしまったり記憶があいまいになることもある。また、広報カーで農地を巡回するには時間がかかりすぎ、緊急時には対応できない。
（２）新聞や定期刊行物には、すべての農家向けに膨大な情報が掲載されるため、ある農家にとっては不要な情報がほとんどであることもあり、必要な情報のみを提供することができない。
（３）以上のいずれも、情報の流れが一方向であるため、情報の収集は別の手段で行う必要がある。
（４）パソコンでＪＡのホームページを閲覧する方法は有用であるが、現地（農地）に出かけている場合は緊急情報を現地で入手することはできない。
【０００５】
そこで本発明が解決しようとする課題は、実際の農作業の現場での情報の送受信が可能で、個々の農家に適切な情報のみを速やかに伝達し、また農家からの重要な情報や質問を収集できる双方向通信を可能とする農業情報配信システムを提供することにある。
【０００６】
【課題を解決するための手段】
前記課題を解決するため、本発明の農業情報配信システムは、各種情報源からのデータをインターネット通信網を通して収集するＷＥＢサーバと、このＷＥＢサーバにアクセス可能な農家のインターネット端末とからなり、前記ＷＥＢサーバには、収集された前記データを閲覧可能なＷＥＢページ閲覧手段と、前記農家のインターネット端末から入力された利用者情報および当該利用者の属性を登録するとともに、認証通知を返信する手段と、前記各種情報源からの病害虫発生や天候・災害に関する事象が生じた旨の通報指示、および前記農家のインターネット端末からの病害虫発生情報を受け付ける受付手段と、この受付手段により受け付けられた通報指示および病害虫発生情報に関するデータを種別毎に振り分け、緊急を要するデータ、および前記利用者が設定した属性に基づき通知を希望するデータについて、該当するインターネット端末へインターネット通信網を介して送信するメール送信手段とを備えたものである。
【０００７】
この農業情報配信システムにおいては、利用希望者がインターネット端末からＷＥＢサーバの登録ページにアクセスして画面の記入欄に自分の名前、メールアドレス、ＪＡの所轄支所コード、組合員番号等の利用者情報と、農業種目などの利用者属性を入力して登録要求をすると、登録者には登録完了のメールが送られるとともに、ＷＥＢサーバの利用者データベースに利用者情報および利用者属性が登録される。ＷＥＢサーバで収集された各種情報源からのデータは、種別ごとに振り分けられ、緊急を要するもの、登録者が通知を希望するものについて、所定の登録利用者のインターネット端末にメールを配信する。
【０００８】
前記利用者の属性は、普通作物（米麦）農家、野菜作物農家、果樹作物農家、花卉農家、畜産農家に分類することができる。
前記農家のインターネット端末は、インターネットメール送受信機能をもつ携帯電話または携帯端末とすることにより、農作業の現場で緊急性を要する情報を受け取ることができる。
【０００９】
前記受付手段に、通報すべき事象が生じた事項が関係する地域の指定を受け付け、かつ前記メール送信手段は、前記所定のインターネット端末のうちで前記指定された地域に位置するインターネット端末のみに対してメールを送信する機能を備えることにより、地域に密着した情報を振り分けて配信することができる。
【００１０】
前記メール送信手段が送信する情報には、病害虫発生や天候・災害に関する通報事象のほか、農家を中心とした所轄農業協同組合からの農業政策、農業技術、農業機器の有効活用、高齢者福祉情報、健康情報、金融情報、ビジネス情報、セミナー集会情報、旅行やイベント等のレクリエーション情報、行政からの情報、関連団体・企業からの情報、環境ＮＰＯ情報等、有益な情報を含むことができる。
【００１１】
前記メール送信手段は、前記所定のインターネット端末のうちで予め通知を要求しているインターネット端末のみへメールを送信する機能を備えることができる。
前記メール送信手段は、病害虫の発生に伴い、風向き、雨などの気象予測情報と予め登録されている病害虫の行動特性を条件照合し、当該地区、隣接地区に何時間後に飛来するのかを予測し、危機管理メールおよびそれに対する対処方法も併せて配信する機能を備えることにより、関係ある農家の人が即座な対応を取ることができるようにする。
【００１２】
前記ＷＥＢサーバには、農薬を散布する場合に、気象予測情報を元に他への飛散状況や天候、気温、湿度など条件照合し農薬の効果を予測する手段を備えることにより、農薬散布のタイミングの適否を判断することができる。
前記ＷＥＢサーバには、気温、湿度、天候等の気象予測情報を元にビニールハウスの扉を開けるか、閉めるかのアクションを予測する手段を備えることにより、ハウス栽培農家に適切な情報を提供できる。
前記ＷＥＢサーバには、過去の市況情報を蓄積し、前年同日比など過去のデータをその時点の気象情報と併せて分析し市況の予測を行う機能を備えることにより、収穫高や収入の予想を立てるための有用な情報を提供できる。
【００１３】
【発明の実施の形態】
以下、本発明の実施の形態について説明する。
図１は本発明の実施の形態を示すブロック図であり、１０は農業情報配信ＷＥＢサーバ、２０は利用者が所有しているインターネット端末、３０は所轄ＪＡのＷＥＢサーバ、４０は気象情報や病害虫情報や市況、統計情報などを提供する農業研究機関のＷＥＢサーバ、５０は県庁農政機関や福祉機関や財務機関等の行政・自治体のＷＥＢサーバ、６０は農業メーカーや農機具メーカーや資材メーカーなどの農業関連企業のＷＥＢサーバである。農業情報配信サーバ１０は、本システムのサービスを利用する農家の人（ＪＡ組合員）の登録と認証を行う登録・認証サーバ１１、市況予測、配信、病害虫拡散予測、適合属性配信を行うデータ予測サーバ１２、システムのメンテナンス・管理を行うシステム管理サーバ１３とからなっている。また、ＷＥＢサーバ４０，５０，６０にはそれぞれ配信システム４１，５１，６１とＷＥＢニュース掲示システム４２，５２，６２が設けられている。
【００１４】
利用者のインターネット端末２０には、携帯電話２１、パソコン２２のほか、携帯情報端末、Ｌモード電話機等を使用することができるが、農地に出かけるときは携帯電話２１や携帯情報端末等の携帯端末を携帯するようにする。
【００１５】
次に、本システムの機能について説明する。
（１）利用者登録
ＪＡ組合員である利用者は、本システムのホームページにアクセスし、登録画面に従って登録手続を行う。図１の登録・認証サーバ１１がその手続、管理を行う。まず、「組合員登録」を選択すると、「所轄ＪＡ選択」画面が表示され、候補の中から所轄ＪＡを指定する。指定すると当該所轄ＪＡの登録画面が表れ、「名前」、「ｅｍａｉｌ」、「所轄支所コード」、「組合員番号」、「住所」、「電話番号」、「系統選択」、「農業種目選択」の入力待ち状態となる。これらに必要な事項を入力すると、登録完了となる。登録者には登録完了のメールが届けられるようになっている。なお、「系統選択」としては、耕種と畜産、「農業種目選択」としては、次の項目の中から選ぶようにしている。
・耕種・・・普通作物、野菜作物、果樹、花卉、茶、その他耕種
・畜産・・・肉用牛、乳用牛、養豚、卵、その他畜産
・必要情報の選択・・・機械（有効活用含）、技術，薬品，新製品、金融，ビジネス、高齢者，福祉等
【００１６】
（２）危機管理情報初動通報機能
データ予測サーバ１２は、農業研究機関のＷＥＢサーバ４０から、病害虫発生や天候・災害に関する事象が生じた旨の通報指示を受け付ける。受け付けられた通報指示に関する内容のメールを、利用者登録の際に選択された耕種、畜産の種別の中で該当する全ての利用者のインターネット端末２０へ、インターネットを介して送信する。
【００１７】
（３）メールおよびショートメール配信機能
複数のインターネット端末２０にはインターネットを介してデータ予測サーバ１２からのインターネットメールを受信する機能を有しているほか、インターネットによりサービス提供されている文字メッセージ伝送サービスに対応した文字メッセージをメールとして送信する機能を有している。
【００１８】
（４）属性登録機能
登録・認証サーバ１１は、利用者登録時に入力された所定事項を生産者ごとに属性分けしておき、所定のインターネット端末２０のうちで予め通知を要求しているインターネット端末２０のみへメールを送信する機能を有している。この属性は、インターネット端末２０毎に変更可能である。
【００１９】
（５）農協、支所地域指定機能
データ予測サーバ１２は、通報すべき事象が生じた事項が関係する地域の指定も受け付け、また、前記所定のインターネット端末２０のうちで前記指定された地域に位置するインターネット端末２０のみに対してメールを送信する機能を有している。
【００２０】
（６）有益情報配信機能
データ予測サーバ１２は、病害虫発生や天候・災害に関する所定の事項のみならず、農家を中心とした所轄ＪＡからの農業政策、農業技術、農業機器の有効活用、高齢者福祉情報、健康情報、金融情報、ビジネス情報、セミナー集会情報、ゆとり情報（旅行、イベント等）、行政からの情報、関連団体・企業からの情報、環境ＮＰＯ情報等、有益な情報を速やかに伝達する機能を有している。
【００２１】
（７）生産品種別メール配信機能
各ＪＡには、そこに属する農家の方が主催する品種別の部会があり、部会ごとの通達、案内、お知らせなど部会で結ぶネットーワークがある。この情報伝達を行うために、生産品種（部会）ごとにメール配信ができるようにする。
【００２２】
（８）市況情報自動配信機能
図２に示すように、気象・市況情報センター４０Ａでは、市況情報データベース１４に蓄積された市況情報を、朝１１時にデータ予測サーバ１２に対してＦＴＰによる自動ダウンロードを行い、ダウンロードと同時に市況累積データベース１５に対しても書き込む。この市況情報は、年月日、市場、品目、量目、産地、等級、階級、数量、金額（高値、中値、安値）からなり、利用者登録された属性（生産品種２５０品）ごとに、当日の市況情報を市況情報自動配信システム４１Ａを介して該当生産農家に一斉自動配信する。
【００２３】
（９）病害虫飛来予測機能
図３に示すように、気象・市況情報センター４０Ａでは、気象情報データベース１６に蓄積された気象情報を、データ予測サーバ１２に対してＦＴＰによる定期自動ダウンロードを行い、ダウンロードと同時に気象累積データベース１７にも書き込む。気象情報は、年月日、風向き、風速、降水量、日平均気温、日平均湿度からなり、１週間先の予測データも含む。その例を表１に示す。
【００２４】
【表１】
0004035569.tif 000002
風速：微０〜２ｍ／ｓ  弱３〜５ｍ／ｓ  疾６〜９ｍ／ｓ  強１０ｍ／ｓ以上
【００２５】
県の防除センター４０Ｂには、病害虫データが蓄積されており、病害虫名、発生地域、発生推定量（多・中・少）を病害虫予察配信データとして、データ予測サーバ１２に送信する。
【００２６】
データ予測サーバ１２には病害虫飛来予測自動配信システム７０が設置されており、病害虫データベース７１と気象メッシュデータベース７２に蓄積されているデータに基づいて病害虫飛来予測を行う。病害虫データベース７１には、病害虫名、飛来特性（大・中・小）、好適気温、好適湿度、適用作物、発生時期のデータが蓄積されており、県防除センター４０Ｂからの配信データがデータ予測サーバ１２に入った時点で自動起動される。例えば県防除センター４０Ｂから配信された病害虫名がウリハムシであるときは、病害虫データベースから、飛来特性：中、飛来風速：５．０ｍ／ｓ、好適気温：２６度、好適湿度：５０％、適用作物：キャベツ，ほうれん草，白菜、発生時期：５月、というデータが抽出される。
【００２７】
気象メッシュデータベース７２は、メッシュデータベースを参照して風向き、風速で飛来地区を予測する。これにより、予測飛来地が割り出され、当日より１週間単位に各予測飛来地区の農家のインターネット端末に対し、自動メール配信を行う。ただし、発生した病害虫の適用作物を属性にして、部会毎に配信する。
このように、データ予測サーバ１２は、病害虫の発生に伴い、タイムリーな気象予測情報（風向、雨など）と予め登録されている病害虫の行動特性を条件照合し、近隣のＢ地区、Ｃ地区に何時間後に飛来するのかを予測し、危機管理メールの自動配信を行う。それに対する対処方法も併せて配信する。
【００２８】
（１０）農薬散布飛散・効果予測機能
図４に示すように、気象・市況情報センター４０Ａでは、気象情報データベース１６に蓄積された気象情報を、データ予測サーバ１２に対してＦＴＰによる定期自動ダウンロードを行い、ダウンロードと同時に気象累積データベース１７にも書き込む。データ予測サーバ１２には、農薬散布飛散効果予測システム８０と農薬データベース８１が設けられており、農薬データベース８１には、農薬名、散布形式（１．液剤（種別）、２．固形剤（種別）、３．くん煙剤、４．くん蒸剤）、飛散性（ｍ／ｓ以上）、安全性（危険、安全）、気温効果（℃以下無効、℃以上無効）、湿度効果（％以下無効、％以上無効）といったデータが蓄積されている。例えば、Ａ農薬については、固形剤−粉剤−ＦＤ剤、飛散性：４ｍ／ｓ以上、安全性：危険、気温効果：０℃以下無効，３０℃以上無効、湿度効果：０％以下無効、６０％以上無効、といった具合である。
【００２９】
農薬散布飛散効果予測システム８０では、農家が農薬を散布する場合に、気象予測情報を元に他への飛散状況や天候、気温、湿度など条件照合し農薬の効果を予測する。その例を表２に示す。
【００３０】
【表２】
0004035569.tif 000003
風速：微０〜２ｍ／ｓ  弱３〜５ｍ／ｓ  疾６〜９ｍ／ｓ  強１０ｍ／ｓ以上
【００３１】
（１１）ビニールハウス開閉予測機能
図５に示すように、気象・市況情報センター４０Ａでは、気象情報データベース１６に蓄積された気象情報を、データ予測サーバ１２に対してＦＴＰによる定期自動ダウンロードを行う。データ予測サーバ１２には、ビニールハウス開閉予測システム９０とビニールハウス情報データベース９１が設けられており、ビニールハウス情報データベース９１には農作物名、適正温度、適正湿度といった情報が格納されている。データ予測サーバ１２は、農家のインターネット端末２０からの閲覧要求があったとき、あらかじめ利用者登録されているその農家のビニールハウスの場所と農作物名とから、ピンポイントの１時間毎の気象情報を抽出するとともに、その農作物の適正温度、適正湿度に基づいて、ビニールハウスの扉を開けるか、閉めるかのアクションを予測する。例えば農作物の適正温度が２７℃、適正湿度が６０％である場合のビニールハウスの開閉は表３に示すようになる。
【００３２】
【表３】
0004035569.tif 000004
【００３３】
（１２）農薬技術ノウハウ情報
営農指導員の技術ノウハウや国や県、大学などの各試験研究機関と連携し、産官学一体となって農業技術を蓄積することにより、ＷＥＢを活用した、さまざまな相談に応える「農業ＷＥＢ窓口」を開設する。新しい技術、研究機関での新しい分析情報は、随時自動メール配信を行う。
【００３４】
（１３）時間間隔自動メール配信機能
危機管理メール情報は、必ず間違いない時間に送られたかどうか、また受け取ったかどうか分からないので、本人の希望により最大５回まで自動配信を行う。
【００３５】
（１４）市況前年対比分析機能
過去の市況情報を蓄積し、前年同日比など過去のデータをその時点の気象情報と併せて分析し市況の予測を行う。
【００３６】
（１５）予測管理機能
データ予測サーバは、所定のインターネット通信網を介して、タイムリーな気象情報、日々の市況情報など、さまざまな情報をデータベースに蓄積し、所定の事象が生じた時に、必要とされる条件を照合し予め登録された必要とする時間に、事象に関する内容のメールを指定の複数のインターネット端末２０のそれぞれを宛先としてインターネットを介して送信する機能を有している。
【００３７】
（１６）インターネット携帯電話利用性
前記記載内容の、メール配信機能、属性の登録・変更など全ての機能についてインターネット携帯端末のみで利用可能であり、パソコンの普及度合いにかかわらず、今後の次世代携帯電話にも対応したバージョンアップを行う。
【００３８】
（１７）病害虫発生情報収集
図６に示すように、農家が現場（畑）で病害虫を発見した場合は、その農家のインターネット端末２０を用いて病害虫の種類、発生状況をメニューより選択し、データ予測サーバ１２にメール送信する。このデータを病害虫発生情報配信システム１００の病害虫発生情報累積データベース１０１に蓄積することにより、公共機関への情報提供と近隣農家へのタイムリーな情報配信をインターネット携帯端末より行う。また、配信されてきたメールアドレスを所轄ＪＡ顧客情報データベース１０２と照合し、組合員からであれば、防除センターと所轄ＪＡに内容を自動配信する。
【００３９】
（１８）他産業への利用性
前記記載内容は、農業のみならず工業、林業、牧畜業、運輸業、交通業、水産業および行政関係のあらゆる産業に利用性がある。
【００４０】
【発明の効果】
上述したように、本発明によれば、実際の農作業の現場での情報の送受信が可能で、個々の農家に適切な情報のみを速やかに伝達し、また農家からの重要な情報や質問を収集できる双方向通信を可能とする農業情報配信システムを提供することができる。
【図面の簡単な説明】
【図１】  本発明の実施の形態を示すブロック図である。
【図２】  本発明の実施の形態における市況情報配信機能を示すブロック図である。
【図３】  本発明の実施の形態における病害虫飛来予測機能を示すブロック図である。
【図４】  本発明の実施の形態における農薬散布飛散効果予測機能を示すブロック図である。
【図５】  本発明の実施の形態におけるビニールハウス開閉予測機能を示すブロック図である。
【図６】  本発明の実施の形態における病害虫発生情報収集機能を示すブロック図である。
【符号の説明】
１０  農業情報配信ＷＥＢサーバ
１１  登録・認証サーバ
１２  データ予測サーバ
１３  システム管理サーバ
１４  市況情報データベース
１５  市況累積データベース
１６  気象情報データベース
１７  気象累積データベース
２０  インターネット端末
２１  携帯電話
２２  パソコン
３０  所轄ＪＡのＷＥＢサーバ
４０  農業研究機関のＷＥＢサーバ
４０Ａ  気象・市況情報センター
４０Ｂ  県の防除センター
４１Ａ  市況情報自動配信システム
５０  行政・自治体のＷＥＢサーバ
６０  農業関連企業のＷＥＢサーバ
４１，５１，６１  配信システム
４２，５２，６２  ＷＥＢニュース掲示システム
７０  病害虫飛来予測自動配信システム
７１  病害虫データベース
７２  気象メッシュデータベース
８０  農薬散布飛散効果予測システム
８１  農薬データベース
９０  ビニールハウス開閉予測システム
９１  ビニールハウス情報データベース
１００  病害虫発生情報配信システム
１０１  病害虫発生情報累積データベース
１０２  所轄ＪＡ顧客情報データベース
【図１】
0004035569.tif 000005
【図２】
0004035569.tif 000006
【図３】
0004035569.tif 000007
【図４】
0004035569.tif 000008
【図５】
0004035569.tif 000009
【図６】
0004035569.tif 000010